(57)【特許請求の範囲】
【請求項１】
あるユーザーの携帯電話が、ユーザー同士でショートメッセージを送受信する仮想的な部屋であるショートメッセージ対話室手段を起動するステップと、
前記携帯電話が前記ユーザーにより所定のボタンが押されたか否かを判断し、前記ボタンが押されたと判断すると、前記ユーザーがショートメッセージの作成を開始すると判断して前記ユーザーにモジュール化及び階層化された選択肢によっていくつかの候補ショートメッセージのうちの一つを前記ユーザーに選択させる手段を提供し、前記ユーザーにより所定のボタンが押されていないと判断すると、該一のユーザーの携帯電話以外の携帯電話である他の携帯電話またはあるサーバからの作成済ショートメッセージから前記ユーザーが呼び出そうとしていると判断して、該作成済ショートメッセージを該一のユーザーの携帯電話に前記他の携帯電話または前記サーバから提供するステップと、
前記一のユーザーによりいずれかの候補ショートメッセージまたは作成済ショートメッセージが選択されてから送信ボタンが押されると、前記ユーザーの携帯電話が選択されたショートメッセージを送信するステップと
を少なくとも有し、
前記ショートメッセージのパッケージは、ユーザー自己定義長さ欄（ＵＤＬ）と、ユーザー自己定義ヘッド長さ欄（ＵＤＨＬ）と、複数の情報元素識別欄（ＩＥＩ）と、複数の情報元素識別データ長さ欄（ＩＥＩＤＬ）と、複数の情報元素データ欄（ＩＥＤ）とからなり、該ＩＥＤの第１の予約値を、前記一のユーザーからショートメッセージの通信を開始するときの選択されたショートメッセージを表すと定義すると共に、該ＩＥＤの第２の予約値を、前記他の携帯電話または前記サーバから提供されたショートメッセージを表すと定義することを特徴とする、返信のための候補または作成済みのショートメッセージをユーザーに提供する方法。
【請求項２】
前記ＩＥＤの前記第１の予約値に対応する前記ＩＥＤのデータフォーマットに第１ないし第ｎのビットセットが含まれていて、
該第１ビットセットの先方の４つのビットを前記一のユーザーからショートメッセージの通信を開始するときに、前記階層化された選択肢の第１層の選択肢のためのエンコーディングと定義し、且つ後方の４つのビットを前記一のユーザーからショートメッセージの通信を開始するときに、前記第１層の選択肢のうちの選択された選択肢に対してさらに選択を行わせるための第２層の選択肢のためのエンコーディングと定義し、且つ第２ビットセットないし第ｎビットセットにはＩＥＩが前記第１の予約値となる場合用いるために定義されている文字、図形、音声又はアニメの少なくとも一つの情報を含むことを特徴とする、請求項１に記載の返信のための候補または作成済みのショートメッセージをユーザーに提供する方法。
【請求項３】
前記ＩＥＤの前記第２の予約値に対応する前記ＩＥＤのデータフォーマットに第１ビットセットないし第ｎビットセットが含まれていて、
該第１ビットセットないし該第ｎビットセットが前記他の携帯電話または前記サーバから提供されたショートメッセージを表し、ＩＥＩに基づいて定義する文字，図形，音声又はアニメの少なくとも一つの情報を含むことを特徴とする、請求項１に記載の返信のための候補または作成済みのショートメッセージをユーザーに提供する方法。
【発明の詳細な説明】
【０００１】
【発明の属する技術分野】
本発明は自動的に始発指令とショートメッセージ返事を提供する方法に係わり、特に携帯電話システム内にまたはサーバー端において予め複数の利用可能なショートメッセージ返事を設定し、ユーザーがショートメッセージ対話室を利用する場合に直接に選択できまたは変更出来ることを特徴とする自動的に始発指令とショートメッセージ返事を提供する方法に関するものである。
【０００２】
【従来の技術】
ある調査によれば、毎月ほぼ５億通程度の文字メッセージが世界各地で送受信されており、ショートメッセージサービス（Ｓｈｏｒｔ Ｍｅｓｓａｇｅ Ｓｅｒｖｉｃｅ；ＳＭＳ）が既に携帯電話ユーザーの最もすきな送受信ツールの１つになっている（電子メールのコンピュータに対応する場合と同様）。且つＷＡＰがインターネットを携帯電話に導入してからユーザーがＷＡＰを介して任意に他の携帯電話やコンピュータのユーザーと通信出来るようになっている。ユーザーが、通話するのが不便な時に文字による対話の方式によってコミュニケーションをできるようにし、新時代の携帯電話ユーザーにもっと即時的で簡単で使用趣味性の高いコミュニケーション方式を提供した。
【０００３】
しかしながら、文字入力がいつも大きい課題となり、長いメッセージを伝えるために数字ボタンを頻繁に押すことが携帯電話族に対して大した苦労をもたらし、世間話の趣味性も低減されるようになり、そのため、このような不便さを克服するために、本発明の発明者は研究開発を進めると共に、学術の運用を合わせてとうとう設計が合理的で効果的に前記課題を解消出来る本考案の方法を提出することに至った。
【０００４】
【発明が解決しようとする課題】
本発明は、ユーザーが予め設定しておいた返事メッセージを任意に選択出来、且つユーザーに変更を行うことを許し、ユーザーがショートメッセージ対話室を利用して対話する際に煩雑な入力要求を不要にし、モジュール化と構造化と階層化の方式によってユーザーに最適なショートメッセージを選択させ、ユーザーに選用させまたは変更させることを特徴とする自動的に始発指令とショートメッセージ返事を提供する方法を提供することをその主要な目的とする。
【０００５】
また、本発明は、ユーザーがショートメッセージを受信してからサーバー端または他の携帯電話より送信したショートメッセージパッケージの内容を判断し、対応するショートメッセージ返事を繰り出してユーザーの選用に供することができることを特徴とする自動的に始発指令とショートメッセージ返事を提供する方法を提供することをその次の目的とする。
【０００６】
【課題を解決するための手段】
前記の目的を図るために、本発明は、ユーザーがショートメッセージ対話室に入ってから、ボタンを押してショートメッセージの送信を始発するかを判断し、始発する場合、ユーザーに構造化、モジュール化、階層化のショートメッセージ選択を提供し、そうでない場合、携帯電話やサーバー端より所定のメッセージ返事を提供し、適当にショートメッセージを選択してから、送信ボタンを押せばショートメッセージを送信できるようになることを特徴とする自動的に始発指令とショートメッセージ返事を提供する方法を提供する。
【０００７】
【発明の実施の形態】
図１に示すのは一般のショートメッセージのパッケージ１のフォーマットであり、それはユーザー自己定義長さ欄（Ｕｓｅｒ Ｄｅｆｉｎｅ Ｌｅｎｇｔｈ、以下“ＵＤＬ”と略称する）１１と、ユーザー自己定義ヘッド長さ欄（ＵｓｅｒＤｅｆｉｎｅ Ｈｅａｄ Ｌｅｎｇｔｈ、以下“ＵＤＨＬ”と略称する）１２と、複数の情報元素識別欄（Ｉｎｆｏｒｍａｔｉｏｎ Ｅｌｅｍｅｎｔ Ｉｄｅｎｔｉｆｉｅｒ、以下“ＩＥＩ”と略称する）１３と、複数の情報元素識別データ長さ欄（Ｉｎｆｏｒｍａｔｉｏｎ Ｅｌｅｍｅｎｔ Ｉｄｅｎｔｉｆｉｅｒ ＤＡＴＡＬｅｎｇｔｈ、以下“ＩＥＩＤＬ”と略称する）１４と、複数の情報元素データ欄（Ｉｎｆｏｒｍａｔｉｏｎ Ｅｌｅｍｅｎｔ Ｄａｔａ、以下“ＩＥＤ”と略称する）１５などからなり、且つ事前定義値においてＩＥＩ１３のエンコーディング値２１―６Ｆ，Ａ０−ＢＦ，Ｅ０―ＦＦが使用しないように保留または予約される。
【０００８】
本発明において、前記保留されるエンコーディング値“２１”がショートメッセージ対話室始発ショートメッセージと定義され、前記エンコーディング値“２２”がショートメッセージ対話室返事ショートメッセージと定義され、そのパッケージフォーマットは図２に示すようであり、そのうち、ＩＥＩＤＬ２１  １４の保存する値がＩＥＤ２１  １５’のデータの長さと代表し、且つＩＥＤ２１  １５’のデータフォーマットにおいて第１ビットセットの先方の４つのビットをユーザーがメッセージを始発する時の第一層の選択肢のエンコーディングと定義し、且つ後方の４つのビットをユーザーがメッセージを始発する時の第二層の選択肢のエンコーディングと定義し、且つ第二ビットセットないし第ｎビットセットにはＩＥＩ２１  １３’に基づいて定義する文字や図形や音声やアニメなどの情報（図示省略）を含む。また、ＩＥＩＤＬ２２  １４’に保存される値がＩＥＤ２２  １５”のデータの長さを意味し、且つＩＥＤ２２  １５”のデータフォーマットにおいて、第一ビットセットないし第ｎビットセットがショートメッセージ返事であり、それにはＩＥＩ２２  １３”に基づいて定義する文字や図形や音声やアニメなどの情報(図示省略)を含む。
【０００９】
図３と図４に示すのはショートメッセージ対話室３の操作画面であり、それには構成化、モジュール化、階層化のショートメッセージ選択肢を提供し、最上方のウインドウ３１には遠方ユーザーの送信してきたショートメッセージの内容を表示し、中央のウインドウ３２には当方ユーザーの入力するショートメッセージの内容を表示し、最下方のウインドウ３３には、“１、訊問”、“２、天気”、“３、天気”、“４、誘い”、“５、要求”、“６、請求”などの親モジュール３３１を表示し、それらが前記ＩＥＩＤ２１ １４’の第１層の選択肢同士に保存され、当方ユーザーが枠や他の形式物などを、必要とする親モジュール３３１へ移動させて、且つ底部における選択ボタン３３２によって選択を決める。
【００１０】
図５を参照するに、当方ユーザーが“１、訊問”の親モジュール３３１を選択すると、最下方のウインドウ３３には、“１、今日は暇ですか”“２、今晩会いましょう”“３、ボーリングでも”などの子モジュール３３３を表示し、それらは前記ＩＥＩＤ２１  １４’の第２層の選択肢に保存され、当方ユーザーが枠または他の形式物によって適当なショートメッセージを選択し、且つこの時、底部に送信ボタン３３４と補正ボタン３３５などの機能ボタンを表示し、ユーザーが表示される事前定義のショートメッセージを選択してた直ちに送信することを実行出来、または補正してから送信を実行する。その補正画面が図に示すようであり、最下方のウインドウ３３に編集ウインドウ３３６が表示され、当方ユーザーにショートメッセージを補正することを供する。
【００１１】
当方ユーザーが送信ボタン３３４を押す場合、ショートメッセージ対話室３の中央のウインドウ３２にこのショートメッセージの内容を表示し、同時にそれをＩＥＩ２１  １３’の関連する欄にフィードし、また、ＩＥＩ２２  １３”の関連欄位にフィードするか、実際の作動する場合の返事選択肢を提供する手段が遠方携帯電話端にあるか、またはサーバー端にあるかのことによって決められる。
【００１２】
（１）遠方携帯電話端にある場合、ＩＥＩ２２  １３”の関連欄位がショートメッセージパッケージ１内に現れなくなり、遠方携帯電話がその内部システム（例えばデータベース）より保存している対応する返事メッセージを探し出すと共に、ショートメッセージ対話室３の最下方のウインドウ３３に表示し、遠方ユーザーの選用に供する（図７参照）。
【００１３】
（２）サーバー端にある場合、携帯電話システム業者がこの項のサービスを提供し、サーバー端が対応する返事メッセージをＩＥＩ２２  １３”の関連欄位にフィードし、遠方携帯電話がショートメッセージを受信してからそれをそのショートメッセージ対話室３の最下方のウインドウ３３に表示し、遠方ユーザーの選用に供する（図７参照）。
【００１４】
図８に示すのは本発明の操作フローを最も詳しく説明するものであり、それには下記のようなステップを包含している。
ステップ８０１：ショートメッセージ対話室３に入る。
ステップ８０３：ユーザーがボタンを押してショートメッセージ送信を始発するかを判断する。
始発する場合、ステップ８０５に入る。
そうでない場合、携帯電話やサーバー端より適当なショートメッセージ返事８０４を提供することを待機し、且つステップ８０７に入る。
ステップ８０５：ユーザーに構造化、モジュール化、階層化のショートメッセージ選択肢を提供する。
ステップ８０７：補正ボタン３３５を押してショートメッセージを補正するかを判断する。
補正しようとする場合、ユーザーに編集ウインドウ３３６を提供し、ショートメッセージ８０８を補正すると共に、ステップ８０９に入る。
そうでない場合、直接的にステップ８０９に入る。
ステップ８０９：ショートメッセージを選定すると、送信ボタン３３４を押してショートメッセージを送信する。
ステップ８１１：ショートメッセージ対話室３より脱出するかを判断する。
脱出すると選択される場合、携帯電話のメインメニュー１１２に戻り、且つフローを終了する。
そうでない場合、ステップ８０３に戻る。
【００１５】
【発明の効果】
そのため、本発明の自動的に始発指令とショートメッセージ返事を提供する方法による場合、少なくとも下記のような優れる点を有する。
（１）構造化、モジュール化、階層化のショートメッセージ選択肢を提供する。
（２）知恵型のショートメッセージの提供する方式によって煩雑な入力手数を省略できる。
（３）提供されるショートメッセージを補正することができる。
【００１６】
また、前記に示すものは本発明の最も好適な１つの具体的な実施例の詳細な説明と図面である。しかしながら本発明はこれらの特徴のみに制限されるものではない。またそれらによって本発明を制限するものではなく、本発明は特許請求の範囲の内容に基づくべきであり、本発明の特許請求の範囲の精神とそれに類似する変化の実施例に該当するものが、すべて本発明の範疇に包含されるべきで、いずれの当該分野における者が本発明の領域において容易に想到しうる変形や修飾などすべて本発明の主張する範囲内に納入されるべきである。
【図面の簡単な説明】
【図１】一般のショートメッセージのパッケージフォーマットを示す説明図である。
【図２】本発明のショートメッセージのパッケージフォーマットを示す説明図である。
【図３】本発明のショートメッセージ対話室の操作画面を示す説明図である。
【図４】本発明のショートメッセージ対話室の操作画面を示す説明図である。
【図５】本発明のショートメッセージ対話室の操作画面を示す説明図である。
【図６】本発明のショートメッセージ対話室の操作画面を示す説明図である。
【図７】本発明のショートメッセージ対話室の操作画面を示す説明図である。
【図８】本発明の操作を説明するフローチャートである。
【符号の説明】
１        パッケージ
１１      ＵＤＬ
１２      ＵＤＨＬ
１３      ＩＥＩ
１３’    ＩＥＩ２１
１３”    ＩＥＩ２２
１４      ＩＥＩＤＬ
１４’    ＩＥＩＤＬ２１
１４”    ＩＥＩＤＬ２２
１５      ＩＥＤ
１５’    ＩＥＤ２１
１５”    ＩＥＤ２２
３        ショートメッセージ対話室
３１      最上方のウインドウ
３２      中央のウインドウ
３３      最下方のウインドウ
３３１    親モジュール
３３２    選択ボタン
３３３    子モジュール
３３４    送信ボタン
３３５    補正ボタン
３３６    編集ウインドウ
【図１】
0004527328.tif 000002
【図２】
0004527328.tif 000003
【図３】
0004527328.tif 000004
【図４】
0004527328.tif 000005
【図５】
0004527328.tif 000006
【図６】
0004527328.tif 000007
【図７】
0004527328.tif 000008
【図８】
0004527328.tif 000009